(57)【要約】【課題】飲料用素材が収納された素材容器と容器本体とを組み合わせ、飲料用素材を飲料水に溶かして飲むことができ、飲むまでの操作が面倒でないプラスチック容器を提供する。【解決手段】本発明によるプラスチック容器は、飲料水が装填される容器本体と、容器本体の底部に設けられた凸形筒部または容器本体のキャップに設けられた凹形筒部に螺合する素材容器とを備え、飲用時、素材容器の回動操作によって、素材容器と容器本体との間を連通させる手段を有して、飲料用素材を飲料水に溶かすように構成した。【選択図】図９
2007253948.tif 000002
【特許請求の範囲】
【請求項１】
飲料水が装填される容器本体と、前記容器本体の底部に設けられた凸形筒部または前記容器本体のキャップに設けられた凹形筒部に螺合する素材容器とを備え、飲用時、前記素材容器の回動操作によって、前記素材容器と前記容器本体との間を連通させる手段を有して、前記飲料用素材を前記飲料水に溶かすように構成したことを特徴とするプラスチック容器。
【請求項２】
前記素材容器と前記容器本体とを連通させる手段が、前記キャップに設けられ上部が開口し有底で側壁に通過口とを有する前記凹形筒部と、前記素材容器に設けられ前記凹形筒部に密着して挿入され、前記凹形筒部の底部を押圧して閉鎖するように取り付けられる筒部とからなり、飲用時、前記素材容器が取り外し方向に回動されると、前記筒部の開口部と前記凹形筒部の底部との間が開くことによって連通されることを特徴とする請求項１に記載のプラスチック容器。
【請求項３】
前記素材容器と前記容器本体とを連通させる手段が、前記キャップに設けられた上部が開口し無底の凹形筒部と、前記凹形筒部に密着して挿入され下側に開口部を有する前記素材容器の筒部と、前記凹形筒部または前記凹部の側壁に密着するように嵌め込まれる栓とからなり、飲用時、前記素材容器が回動されると、前記栓が、前記凹形筒部または前記凹部の側壁に形成された縦溝に沿ってスライドし、落下しないように外れることによって連通されることを特徴とする請求項１に記載のプラスチック容器。
【請求項４】
前記素材容器と前記容器本体とを連通させる手段が、前記キャップの凹形筒部の底面または前記容器本体底部に設けられた凸形筒部の上面に、一部を残して周縁部が他の肉厚より薄くされた円形の領域と、前記素材容器の筒部の先端に設けられた突起物とからなり、飲用時、前記素材容器が取り付け方向に回動されると、前記領域が、前記筒部先端の突起物によって切り開かれることによって連通されることを特徴とする請求項１に記載のプラスチック容器。
【請求項５】
前記素材容器と前記容器本体とを連通させる手段が、前記キャップの凹形筒部の底面に設けられた複数の通孔と、これに相対する前記素材容器筒部の蓋に設けられた複数の通孔とからなり、飲用時、前記素材容器が取り外し方向に回動されると、前記通孔が互いに合致することによって連通されることを特徴とする請求項１に記載のプラスチック容器。
【請求項６】
飲料用素材を入れた素材容器と、前記素材容器の装着部を備える容器本体からなり、前記素材容器の開口部が、前記容器本体の上部開口部に挿入可能に形成されると共に、前記装着部が、前記容器本体の底部から容器内部に突出させて設けた凸形筒部内、もしくは、前記容器本体の側壁に嵌め合い可能に形成された凹部内、もしくは、前記容器本体の上部開口部に設けられた凹形筒部内、であることを特徴とするプラスチック容器。
【請求項７】
飲料水が装填される容器本体と、前記容器本体に螺合されるキャップとが備えられ、前記キャップが、内部に飲料用素材が収納される素材収納部と、前記素材収納部部の上方に突出し前記容器本体の開口部に挿入可能に形成される円筒状突出部と、前記円筒状突出部の外側低部に前記容器本体の開口部に嵌め込み可能に形成される嵌合部と、前記円筒状突出部の上部開口部に螺合され前記キャップの外径より小さな外径を有するサブキャップとからなることを特徴とするプラスチック容器。
【請求項８】
前記素材収納部が、容器本体の上部開口部の内側を突き抜ける円筒形状に形成されていることを特徴とする請求項７に記載のプラスチック容器。
【請求項９】
前記素材収納部が、前記容器本体の開口部の外側を囲む円錐形状に形成されていることを特徴とする請求項７に記載のプラスチック容器。
【発明の詳細な説明】
【技術分野】
【０００１】
本発明は飲物用のプラスチック容器に係り、より詳細には、コーヒーや茶などの飲料用素材と飲料水とが、１つの容器の中に別々に収納されて、飲む時に、飲料用素材を飲料水に溶かすように構成したプラスチック容器に関する。
【背景技術】
【０００２】
一般に、プラスチック製のボトルにボトリングされたコーヒーや茶は、事前に濾されて湯などの中に抽出されたものである。また、一部には、網袋に入った茶などの乾燥された飲料用素材が、アルミコーティングされた袋に入れられて、飲料水の入った容器に添付されて提供される。
【０００３】
茶を例にして両者を比較すると、飲む前に茶を入れた場合、苦味や渋みがあって味としては優れる。事前に茶の成分を抽出してボトリングした場合、ビタミンＣなどの酸化防止剤も合せて調合されるので、味の強みが平均化される。そのため、飲む直前に茶の成分を飲料水に溶かすスタイルのさらなる普及が望まれる。
【０００４】
しかし、茶などの飲料用素材をアルミ袋に入れて、飲料水の入った容器に添付して提供する場合、飲むまでにいくつかの手順があって面倒である。（１）アルミ袋が挟まれた包装用カバーのミシン目を切る。（２）アルミ袋を取り出す。（３）アルミ袋の封を切る。（４）ティーバックを取り出す。（５）キャップを開ける。（６）ティーバックを投入する。（７）溶けるのを待つ。（８）ティーバックを取り出す、の８回の操作がある。また、粉末茶をティーバックに入れず、アルミ袋に直接収納して提供した場合は、容器本体の開口部から中に投入する時、粉末茶が周りにこぼれることがある。
【０００５】
他の事例として、飲料水と粉末茶を別々に収容した飲料用混合容器が提案されている。（特許文献１参照）
この飲料用混合容器は、飲料水が容器本体に収納されると共に、粉末茶を容器のキャップ内にアルミ袋に入れて配置し、キャップの上部に設けられた突起物で粉末茶の袋を破り、容器本体に落下させ、両者を混合するものである。飲むまでの操作回数は、（１）突起付キャップの包装用カバーを破る。（２）突起付キャップを回して外す。（３）突起付キャップの突起を容器本体の開口部に向けて螺合させる。（開口部のアルミ袋が破られて粉末茶が容器本体に落下する）（４）容器本体を振る。（５）突起付キャップを回して外す。（６）容器本体の開口部に残ったアルミ袋を取り出す、の６回となる。操作回数がティーバック添付式のものより減るものの、まだ操作回数は多い。また、アルミ袋の破片が飲料水の中に混入しないかといった心配もある。
【特許文献１】特開２００３−８１３５７号公報
【発明の開示】
【発明が解決しようとする課題】
【０００６】
本発明は上記のような問題点を解決するために創出されたもので、本発明の目的は、飲料用素材が収納された素材容器と容器本体とを組み合わせて、飲料用素材を飲料水に溶かして飲むことができ、飲むまでの操作が面倒でない飲料用のプラスチック容器を提供することにある。
【課題を解決するための手段】
【０００７】
本発明によるプラスチック容器は、飲料水が装填される容器本体と、前記容器本体の底部に設けられた凸形筒部または前記容器本体のキャップに設けられた凹形筒部に螺合する素材容器とを備え、飲用時、前記素材容器の回動操作によって、前記素材容器と前記容器本体との間を連通させる手段を有して、前記飲料用素材を前記飲料水に溶かすように構成したことを特徴とする。ここで、前記凸形筒部を有するものを第１のプラスチック容器とし、前記凹形筒部を有するものを第２のプラスチック容器とする。
【０００８】
前記素材容器と前記容器本体とを連通させる手段が、前記キャップに設けられ上部が開口し有底で側壁に通過口とを有する前記凹形筒部と、前記素材容器に設けられ前記凹形筒部に密着して挿入され、前記凹形筒部の底部を押圧して閉鎖するように取り付けられる筒部とからなり、飲用時、前記素材容器が取り外し方向に回動されると、前記筒部の開口部と前記凹形筒部の底部との間が開くことによって連通されることが好ましい。
【０００９】
前記素材容器と前記容器本体とを連通させる手段が、前記キャップに設けられた上部が開口し無底の凹形筒部と、前記凹形筒部に密着して挿入され下側に開口部を有する前記素材容器の筒部と、前記凹形筒部または前記凹部の側壁に密着するように嵌め込まれる栓とからなり、飲用時、前記素材容器が回動されると、前記栓が、前記凹形筒部または前記凹部の側壁に形成された縦溝に沿ってスライドし、落下しないように外れることによって連通されることが好ましい。
【００１０】
前記素材容器と前記容器本体とを連通させる手段が、前記キャップの凹形筒部の底面または前記容器本体底部に設けられた凸形筒部の上面に、一部を残して周縁部が他の肉厚より薄くされた円形の領域と、前記素材容器の筒部の先端に設けられた突起物とからなり、飲用時、前記素材容器が取り付け方向に回動されると、前記領域が、前記筒部先端の突起物によって切り開かれることによって連通されることが好ましい。
【００１１】
前記素材容器と前記容器本体とを連通させる手段が、前記キャップの凹形筒部の底面に設けられた複数の通孔と、これに相対する前記素材容器筒部の蓋に設けられた複数の通孔とからなり、飲用時、前記素材容器が取り外し方向に回動されると、前記通孔が互いに合致することによって連通されることが好ましい。
【００１２】
本発明による第３のプラスチック容器は、飲料用素材を入れた素材容器と、前記素材容器の装着部を備える容器本体からなり、前記素材容器の上部開口部が、前記容器本体の上部開口部に挿入可能に形成されると共に、前記容器本体の前記係止部が、前記容器本体の底部から容器内部に突出させて設けた凸形筒部内、もしくは、前記容器本体の側壁に嵌め合い可能に形成された凹部内、もしくは、前記容器本体の上部開口部に設けられた凹形筒部内であることを特徴とする。
【００１３】
本発明による第４のプラスチック容器は飲料水が装填される容器本体と、前記容器本体に螺合されるキャップとが備えられ、前記キャップが、内部に飲料用素材が収納される素材収納部と、前記素材収納部部の上方に突出し前記容器本体の開口部に挿入可能に形成される突出部と、前記突出部の外側低部に前記容器本体の開口部に嵌め込み可能に形成される嵌合部と、前記突出体部の上部開口部に螺合され前記キャップの外径より小さな外径を有するサブキャップとからなることを特徴とする。
【００１４】
前記収納部は、容器本体の上部開口部の内側を突き抜ける円筒形状に形成されていることが好ましい。前記前記収納部は、前記容器本体の開口部の外側を囲む円錐形状に形成されていることが好ましい。
【発明の効果】
【００１５】
本発明による請求項１の第１、２のプラスチック容器によれば、飲む時に、飲料用素材を飲料水に溶かして飲むことができ、飲むまでの操作回数は、（１）素材容器を回動する。（２）容器本体を振って、飲料用素材を飲料水に溶かす。（３）キャップを開く、の３回にできる。
【００１６】
請求項２は、素材容器と容器本体との連通が、素材容器の筒部の先端で閉鎖したキャップの凹形筒部の底部を開門することにより行なわれる。筒部の先端で閉鎖した場合の遮断性は、素材容器のネジを締めることで達成される。このような仕掛けはキャップの部分に好適であり、飲用時、飲料用素材を飲料水の中に容易に落下させて溶かすことができる。
【００１７】
請求項３は、素材容器と容器本体との連通が、栓で行なわれる。遮断性は栓と筒部の嵌合によって達成される。このような仕掛けはキャップの部分に好適であり、飲用時、飲料用素材を飲料水の中に容易に落下させて溶かすことができる。筒部の側壁に設けられた縦溝により、栓が外れたとき、飲料水内に落下しないようにできる。
【００１８】
請求項４は、素材容器と容器本体との連通が、一部を残して他の肉厚より薄くされた円形の領域を突起物で切り開くことによって行なわれる。飲料用素材と飲料水との間の遮断性が良く、容器本体の底部、キャップの両方に好適である。
【００１９】
請求項５は、素材容器と容器本体との連通が、各通孔を合致させることによって行なわれる。底面に設けられた線状の突起を２重にして密封性を向上させることができる。
【００２０】
本発明による請求項６の第３のプラスチック容器は、素材容器を容器本体に装着して添付したもので、素材容器の径を容器本体の上部開口部の径より小さく形成したから、容器本体の上部開口部に差し込んで飲料用素材をこぼすことなく投入できる。また、飲むまでの操作回数は、素材容器が、キャップ内の凹部に挿入されて固定される、実施例１４の場合、（１）キャップを回して外す。（２）素材容器の蓋を外す。（３）キャップを反対向きにして、素材容器を容器本体の開口部に挿入する。（４）キャップを押さえて、容器本体を振る。（５）素材容器付のキャップを外す、の５回となる。
【００２１】
本発明による請求項７の第４のプラスチック容器は、キャップに飲料用素材の収納部を設けたもので、専用の素材容器は設ける必要ないから部品点数を少なくできる。飲むまでの操作回数は、（１）容器本体の素材収納部付キャップを回して外す。（２）サブキャップを外す。（３）素材収納部付キャップを反対向きにして、容器本体の開口部に嵌め込む。（４）容器本体を振る。（５）凹形キャップを取る、の５回である。また、突出部と嵌合部を設けたから、キャップを栓のように作用させることができる。そして容器本体を振った時にも、完全に飲料水が漏れ出ないようにできる。また、サブキャップの径が、キャップ底部の径より小さいからつかみやすく開け閉めが容易である。
【００２２】
請求項８は、第４のプラスチック容器において、飲料用素材の収納部を容器本体の開口部の内側を突き抜ける円筒形状としたから、キャップの高さをそれほど高くすることなく、素材収納空間を確保できる。また、飲料用素材を投入するときには、この収納部が占めていた部分が空くから、飲料水がこぼれ出ない。飲料水は容器本体の上部に隙間なく充填できる。
【００２３】
請求項９は、第４のプラスチック容器において、飲料用素材の収納部を容器本体の開口部を囲む円錐形状としたから、さらに大きな容量の素材収納空間を確保できる。
【発明を実施するための最良の形態】
【００２４】
以下、本発明の好ましい実施例を、図面を参照して説明する。なお、前提となる飲料用素材は、茶、コーヒー、ココア、ジュース、サプリメントなどである。飲料用素材の形態は、粉末、顆粒、ゼリー、液体、固体でも良い。液体の例では、コンク（ｃｏｎｃ；ｃｏｎｃｅｎｔｒａｔｅｄ）、すなわち濃縮されたコーヒーやココアなどもあげられる。固体の例ではラムネの元などがある。また、飲料用素材を入れる素材容器（あるいは素材収納部）は、内部が１つで１つの素材を入れることもできるし、内部を複数に区切って、例えば、砂糖、コンク、ミルクというように収納することもできる。
【実施例１】
【００２５】
図１は、本発明による第１の実施例で、飲物用のプラスッチク容器の断面図である。図１に示すように、プラスチック容器１は、容器本体５と、容器本体５のネジ部４５に螺合するネジ部５３を有するキャップ１０と、容器本体５の底部に設けられた凸形筒部７のネジ部４６に螺合して取り付けられ、筒部９にネジ部４３を有する素材容器６からなる。
【００２６】
凸形筒部７と素材容器６との連通は、凸形筒部７の上部平坦部に、他の部分より肉厚を薄くした円形の領域１５が設けられ、ここを２つの突起物１３で切り開くことで実現している。具体的には、素材容器６の下部に設けられたノブ１６を回して上昇させる。これによって、素材容器６の上部の突起物１３が平坦部を押圧し、厚さの薄い円形の領域１５が切り開かれて、破片が符号１２の位置に移動する。突起物１３の当接する部分を切込線としておいてもよい。なお、円形の領域１５の一部分は（左側の部分）肉厚を厚くして、破片が分離されないようにしている。
【００２７】
凸形筒部７の上部と素材容器６とが連通すると、飲料水６０が飲料用素材２１に入ってくる。飲料水６０の流入と入れ変わって、素材容器６の中の空気が容器本体５の上部に移動する。なお、素材容器６に入った飲料水６０は、螺合部とリング状の突起３３によって、下方へもれることがないように遮断されている。突起３３は、筒状に形成して、凸形筒部７の内壁に密着させてもよい。ノブ１６の回動は、リング状の突起３４が容器本体５の底部に当接して制限される。この状態では、さらに密閉度が増して、飲料水６０が漏れることがない。
【実施例２】
【００２８】
図２は、本発明による第２の実施例で、飲物用のプラスッチク容器の断面図である。図２に示すように、プラスチック容器１は、容器本体５と、上部の開口部３５に螺合するキャップ１０と、容器本体５の底部に螺合して取り付けられる素材容器６からなる。容器本体５は、底部の開口部１４から容器の内側上方に伸びる凸形筒部７を有している。凸形筒部７の内側壁にはネジ部４６が設けてある。素材容器６の外側表面にはネジ部４３が設けてある。
【００２９】
素材容器６は、ネジによって上方向に押圧されて装着される。従って、キャップ１０と同じように、密閉を確実にするのは、素材容器６の上端に設けられた突起４７、４８、４９で、凸形筒部７の上部平坦部をネジで押すように構成している。素材容器６が螺合を解除する方向に９０°程度回されれば、凸形筒部７の通孔１８、１９と、素材容器６の上部に設けられた通孔２２、２３が合致する。これによって、飲料水６０が素材容器６に導かれる。なお、必要以上に素材容器６が回されても外れないように、凸形筒部７の内側壁のストッパ３８と素材容器６のリング状の突起３３が設けられている。
【００３０】
図２の引出円Ｃ１は、凸形筒部７と素材容器６の上部の分解矢視図である。引出円Ｃ１に示すように、容器本体５と素材容器６との連通を、２つの通孔を合致させることで実現している。一方が、凸形筒部７の底部に設けられた通孔１８、１９である。他方が、素材容器６の上部に設けられた通孔２２、２３である。２つの通孔を設けて、一方の通孔から空気を容器本体５の上方に移動させ、他方の通孔から飲料水６０を素材容器６に容易に移動させる。
【００３１】
引出円Ｃ１に示すように、素材容器６の上部には円形の蓋２０が設けられる。ここに通孔２２、２３が形成される。また、蓋２０には孔６５があって、素材容器６の上部円周縁のボタン５５がはめ込まれる。蓋２０には、密閉用の線状の突起４７、４８、４９がある。蓋２０の最外周付近を囲むように設けられた突起４７は、通孔１８、１９からの飲料水６０を遮断する。突起４８、４９が突起４７と交わって作られる４つの閉ループの内、通孔２２、２３のない箇所の２つの閉ループは、通孔１８、１９が、通孔２２、２３と合致しない位置にある時、通孔１８、１９から通孔２２、２３に飲料水６０がもれるのを防ぎ、同時に他の２つの閉ループが、素材容器６に飲料水６０が浸入するのを防ぐものである。
【実施例３】
【００３２】
図３は、本発明による第３の実施例で、飲物用のプラスッチク容器の断面図である。図３に示すように、プラスチック容器１は、上部と下部に３箇所のネジを有する容器本体５と、上部の開口部３５のネジに螺合するキャップ１０と、下部の２箇所のネジに螺合して、容器本体５の底部を覆うように取り付けられた、椀形状の素材容器６からなる。素材容器６は、容器本体５のネジ部６４に螺合されて装着される。
【００３３】
素材容器６の径が大きい場合、突起体２８を押し上げる力が弱いので、突起体２８と凸形筒体７とを螺合させている。また、飲料用素材２１は、椀形状の素材容器６の中に収納される。凸形筒部７の上面は、円形の一部分を残して肉厚を薄くした領域１５を設けて破りやすくしている。
【００３４】
素材容器６を回して、円筒状の突起体２８を上昇させると、その先端で領域１５を破ることができる。ここから浸入した飲料水６０は、突起体２８の通孔２２、２３を通過して飲料用素材２１に達する。素材容器６がさらに上昇する方向に回されると、上昇の程度にもよるが、素材容器６と容器本体５とが形成する容積が減少する。この減少した容積に対応できるように、容器本体５の上部側壁は、柔軟な伸縮構造３１を有して、膨張できることが望ましい。飲料水のもれはリング状の突起３３で防いでいる。素材容器６をさらに回すと、容器本体５底部のリング状の突出部２９が、素材容器６の底部に接触して止まる。
【実施例４】
【００３５】
図４は、本発明による第４の実施例で、飲物用のプラスッチク容器の断面図である。図４に示すように、プラスチック容器１は、上部と下部に３箇所のネジを有する容器本体５と、上部の開口部３５に螺合するキャップ１０と、容器本体５の底部を覆うように取り付けられた、椀形状の素材容器６からなる。下部のネジは、１つは容器本体５の底部外周面に形成され、もう１つは凸形筒部７の内側に設けられる。これらは、それぞれ素材容器６を容器本体５と凸形筒部７に螺合させる。凸形筒部７の底部平坦部には２次加工されて通孔１８、１９が設けられる。
【００３６】
容器本体５の底部側壁には、リング状でテーパを有するストッパ３８が形成されており、素材容器６の装着時は、リング状の突起３３がストッパ３８を乗り越えるようにして嵌合される。装着が完了すると、突起体２８の上部円板に設けられた突起４７、４８、４９が、凸形筒部７の底部を押圧して密閉が行われる。突起４７、４８、４９の構造は実施例２に示すものと同じである。なお、突起体２８の上部円板には通孔２２、２３が設けられている。螺合を解除する方向に素材容器８を回すと、通孔１８、１９と通孔２２、２３が合致して、飲料水６０が飲料用素材２１に達する。
【実施例５】
【００３７】
図５は、本発明による第５の実施例で、飲物用のプラスッチク容器の断面図である。第５の実施例は、第３の実施例の構成と概略同じである。差異は、凸形筒部７の底部が通孔１７となっていることである。ここを、通常は、突起体２８の上部の部材で押圧して密閉している。素材容器６を回して、円筒状の突起体２８を上昇させ、その先端が通孔１７を突き抜けるようにする。その場合、通孔１７から浸入した飲料水６０は、突起体２８の通孔２２、２３を通過して飲料用素材２１に達する。
【実施例６】
【００３８】
図６は、本発明による第６の実施例で、飲物用のプラスッチク容器の断面図である。第６の実施例は、第４の実施例の構成と概略同じである。差異は、凸形筒部７の底部が通孔１７となっていることである。ここを、通常は、突起体２８の上部の突起４７で押圧して密閉している。素材容器６を回して、円筒状の突起体２８が凸形筒部７から離すように下降させる。その場合、飲料水６０は、通孔１７を経由して飲料用素材２１に達する。
【実施例７】
【００３９】
図７は、本発明による第７の実施例で、飲物用のプラスッチク容器の断面図である。図７に示すように、プラスチック容器２は、容器本体５と、上部の開口部３５に螺合する凹形キャップ３７と、凹形キャップ３７に装着される素材容器６からなる。凹形キャップ３７は、凹形筒部８を有し、上部から開口部３５を突き抜けるように挿入される。そして第１のネジ部５３が容器本体５のネジ部４５に螺合される。凹形キャップ３７は、上部に第２のネジ部６７が形成されている。ここに、素材容器６に設けられたネジ部６６が螺合される。なお、素材容器６の材質は凹形キャップ３７の材質に合わせて、例えば、ポリエチレンとすることができる。
【００４０】
凹形キャップ３７と素材容器６との連通は、凹形キャップ３７の底部平坦部に円形の肉厚の薄い円形の領域１５が設けられ、ここを２つの突起物１３で切り開くことで実現している。素材容器６が、取り付け方向にストッパ３８を越える程度に強く回動されると、筒部９の一端に設けられた突起物１３が凹形キャップ３７の平坦部を押圧して円形に切り開く。破片は符号１２に位置に移動する。なお、領域１５は、一部分肉厚を厚くして、分離されないようにしているから、破片は落下しない。一定の領域の肉厚を薄くする代わりに、切込線を設けてもよい。素材容器６をさらに回すと、凹形キャップ３７の上面開口部３９が素材容器６の内側上面に当接するまで締めることができる。
【実施例８】
【００４１】
図８は、本発明による第８の実施例で、飲物用のプラスッチク容器の断面図である。図８に示すように、プラスチック容器２は、容器本体５と、上部の開口部３５に螺合する凹形キャップ３７と、凹形キャップ３７に装着される素材容器６からなる。凹形キャップ３７は、その上部から開口部３５を突き抜けるように、内側壁にネジ部６７が形成された凹形筒部８を有する。また、素材容器６には、ネジ部６６が設けられており、凹形キャップ３７のネジ部６７に螺合させて装着する。素材容器６を取り外し方向に回動して、凹形キャップ３７の凹形筒部８の底部に設けた通孔１８、１９を、素材容器６の筒部９の底部に設けた通孔２２、２３に合致させることによって、飲料用素材２１が容器本体５側に、また、飲料水６０が素材容器６に導かれるように構成している。図８では通孔が合致した場合を図示している。
【００４２】
素材容器６は、通常、通孔１８、１９と通孔２２、２３が合致しない位置関係にあって、ネジ部４３、４４によって下方向に押圧されて装着されている。引出円に筒部９の底部に装着される蓋２０の外観図を示す。引出円の中に示すように、密閉をより確実にするため、蓋２０が凹形筒部８の底部と接触する面において、通孔２２、２３の周囲には、線状の突起４７、４８、４９を設けている。素材容器６が、取り外し方向（上方向）に９０°程度回動されると、凹形キャップ３７の通孔１８、１９と素材容器６の通孔２２、２３が合致する。なお、必要以上に素材容器６が回動されても、ストッパ３８が形成されているので、外れることがない。
【実施例９】
【００４３】
図９は、本発明による第９の実施例で、飲物用のプラスッチク容器の断面図である。図９に示すように、プラスチック容器２は、容器本体５と、上部の開口部３５に螺合する凹形キャップ３７と、凹形キャップ３７に装着される素材容器６からなる。凹形キャップ３７は、凹形筒部８を有し、上部から開口部３５を突き抜けるように挿入される。引出円Ｃ２に示すように、凹形筒部８は有底で、４つの傾斜面を有する山形の突出形状とした。このような形状は、飲料用素材が容器本体５側に落下しやすくするためのもので、傾斜面は２〜３つとしてもよい。傾斜面ではなく円錐形状としてもよい。凹形筒部８の低部の側面には、２〜４つの通過口４０が設けられる。本実施例では引出円Ｃ２に示すように４つの通過口４０を設けた。通過口４０が設けられない側壁部分で、凹形筒部８の底部を支えている。また、凹形キャップ３７は、容器本体５のネジ部４５に螺合するネジ部５３と、素材容器６のネジ部６６に螺合するネジ部６７を有する。素材容器６は、凹形キャップ３７に螺合して装着される。この時、素材容器６の筒部９の先端が、凹形筒部８の底部を押圧して閉鎖するように働く。
【００４４】
引出円Ｃ３に示すように、素材容器６を回して、ネジを取り外し方向に操作すると、素材容器６が上方に移動し、凹形筒部８の有底部から筒部９の開口部４２の先端が離れる。これにより、通過口４０と素材容器６の内部が連通し、飲料用素材２１が容器本体５の飲料水６０の中に落下する。また、飲料水６０を素材容器６に導くことができる。
【００４５】
ネジ部６６、６７を取り付け方向に締めると、素材容器６は、凹形キャップ３７の上部の開口部３９を押すと同時に、開口部４２の先端が凹形筒部８の有底部も押すように構成される。凹形筒部８と素材容器６の筒部９の側壁は、互いに密着するように構成される。密着しているから、ネジ部６６、６７を緩めて、飲料水６０を素材容器６に導くとき、この隙間から飲料水が漏れない。ネジ部６６、６７を緩めた時、ストッパ３８が設けられているから、素材容器６は、凹形キャップ３７から外れることがない。ストッパ３８は、例えば、上方に湾曲させた複数の片で構成され、素材容器６を下方に向けてネジを締める場合は、スムーズに進行されるが、逆の場合は、ネジ部６７と接触して進めないようなものでよい。
【実施例１０】
【００４６】
図１０は、本発明による第２の実施例で、飲物用のプラスッチク容器の断面図である。図１０に示すように、プラスチック容器１は、容器本体５と、上部の開口部３５に螺合する凹形キャップ３７と、凹形キャップ３７に装着される素材容器６からなる。凹形キャップ３７は、凹形筒部８を有し、上部から開口部３５を突き抜けるように挿入される。また、容器本体５のネジ部４５に螺合するネジ部５３と、素材容器６のネジ部６６に螺合するネジ部６７を有する。栓５４は、凹形筒部８の底面の開口部にはめ込まれる。筒部９の底部の開口部先端が栓５４に当接されるように装着される。栓５４は、引出円Ｃ４に示すように、両側に傾斜面５７を設けて、飲料用素材２１が落下しやすくしている。
【００４７】
素材容器６を回して、ネジを取り付け方向に操作すると、素材容器６が下方にスライドし栓５４が押される。栓５４の底部が凹形筒部８から外れて開口される。栓５４の上端の２カ所には突起５６が設けられ、縦溝５８に嵌め込まれている。栓５４が、縦溝５８に沿って下方にスライドされると、縦溝５８の下端で停止されるから、栓５４が落下することはない。栓５４がスライドされると、素材容器６と容器本体５とが連通され、飲料用素材２１が隙間から落下する。また、容器本体５を振って、飲料水６０を素材容器６に導くこともできる。凹形筒部８と素材容器６の筒部９の側壁は、互いに密着するように構成される。これにより、素材容器６のネジを締めて飲料水６０を素材容器６に導くとき、この隙間から飲料水が漏れることがない。
【００４８】
連通させる場合は、素材容器６を取り付け方向に回す。その場合、ストッパ３８を越えるように強くネジを締める。これによって、栓５４がスライドされる。そして凹形キャップ３７の上部開口部３９が、素材容器６の内側上面に当接するまでは締めることができる。素材容器６と容器本体５の遮断は、栓５４の段部５１と側面５２の２箇所が、凹形筒部８の開口部先端と内側側面に当接して行なわれる。なお、栓５４の落下を防止するため、縦溝５８のかわりに、凹形筒部８の外側の下方にフックを設けて、栓５４の一端を掛けるようにしてもよい。
【実施例１１】
【００４９】
図１１は、本発明による第１１の実施例で、飲物用のプラスッチク容器の断面図である。図１１に示すように、プラスチック容器２は、容器本体５と、上部の開口部３５に螺合する凹形キャップ３７と、凹形キャップ３７に装着される素材容器６からなる。実施例１０との違いは、素材容器６と容器本体の連通が、素材容器６の取り外し方向に回動されることである。また、栓５４は、凹形筒部８ではなく、素材容器６の筒部９の開口部に嵌め込まれる。
【００５０】
素材容器６が回動されて、取り外し方向に操作されると、素材容器６の筒部９に嵌合された栓５４が外れる。これは、筒部９が上方に動いても、栓５４の底部の段部が凹形筒部８の先端で阻止されるからである。また、栓５４の上端の２カ所には突起５６が設けられ、縦溝５８に嵌め込まれている。栓５４が筒部９から外れた時、栓５４は下方に落下するが、縦溝５８の下端で停止される。素材容器６と容器本体５とが連通されると、飲料用素材２１が傾斜面に沿って容器本体５内部に落下する。また、容器本体５を振って、飲料水６０を素材容器６に導くこともできる。凹形筒部８と素材容器６の筒部９側壁は、互いに密着するように構成されるから、容器本体５を振っても、この隙間からは飲料水が漏れない。素材容器６のネジを開ける場合、ストッパ３８があるから素材容器６は外れない。
【実施例１２】
【００５１】
図１２は、本発明による第１２の実施例で、飲物用のプラスッチク容器の断面図である。図１２に示すように、プラスチック容器３は、容器本体５と、上部の開口部３５に螺合するキャップ１０と、容器本体５の底部に形成された凸形筒部７を装着部として、嵌合される素材容器６からなる。素材容器６には、飲料用素材２１が収容され、蓋２５で密閉される。飲料用素材２１を開口部３５から投入する場合、素材容器６の円筒部の径が開口部３５の径より小さくしてあるので、素材容器６を開口部３５に差し込むことができ、飲料用素材２１がこぼれない。飲むまでの操作回数は、（１）素材容器６を取り出す。（２）素材容器６の蓋を開く。（３）容器本体のキャップを回して外す。（４）飲料用素材を投入する。（５）素材容器を押さえて容器本体を振る。（６）素材容器を取り外す、の６回となる。
【実施例１３】
【００５２】
図１３は、本発明による第１３の実施例で、飲物用のプラスッチク容器の断面図である。図１３に示すように、プラスチック容器３は、容器本体５と、上部の開口部３５に螺合するキャップ１０と、容器本体５の側部に形成された凹部３６の装着部に装着される素材容器６からなる。素材容器６は、飲料用素材２１が収容されると共に、蓋２５で密閉される。素材容器６の円筒部の径は開口部３５の径より小さくしてあるので、飲料用素材２１を開口部３５から投入する場合、素材容器６を開口部３５に差し込むことができる。
【実施例１４】
【００５３】
図１４は、本発明による第１４の実施例で、飲物用のプラスッチク容器の断面図である。図１４に示すように、プラスチック容器３は、容器本体５と、上部の開口部３５に螺合する凹形キャップ３７と、この凹形キャップ３７に嵌合して装着される素材容器６からなる。装着部は、凹形筒部８を使用している。素材容器６には、飲料用素材２１が収容され蓋２５で密閉される。飲料用素材２１を開口部３５から投入する場合、素材容器６の蓋を開け、素材容器６を取り出さずに凹形キャップ３７を回して外し、反対にして開口部３５に素材容器６の先端を差し込んで、飲料用素材を投入する。飲むまでの操作回数は、素材容器６を凹形キャップ３７から取り出す操作がないので、実施例１２の場合より１つ少なく５回である。
【実施例１５】
【００５４】
図１５は、本発明による第１５の実施例で、飲物用のプラスッチク容器の断面図である。図１５に示すように、プラスチック容器４は、容器本体５と、上部の開口部３５に螺合する凹形キャップ３７からなる。凹形キャップ３７には、上部に円筒状突出部６２が、下部に円筒状突出部６２に連結するように円筒状の素材収納部６１が設けられる。素材収納部６１は容器本体５の開口部３５を突き抜けて装着される。円筒状突出部６２にはネジ部６７が設けられ、サブキャップ１１がネジ部６６で螺合される。プラスチック容器４は、キャップが２つあるダブルキャップ構成となっている。
【００５５】
円筒状突出部６２は、反対向きにして、ネジ部６７も含めて容器本体５の開口部３５に差し込み可能である。ネジ部６７の下側の嵌合部５９は、開口部３５の径に合わせた形状なので、凹形キャップ３７を開いてサブキャップを外し、逆にして嵌め込んだ時、栓として働く（引出円Ｃ７参照）。すなわち、容器本体５を振っても飲料水６０がこぼれ出ない。サブキャップ１１の径は、凹形キャップ３７の基部の径より小さいから回して取り外すことが容易である。飲料用素材２１は、素材収納部６１と円筒状突出部６２の内側に直接収納され、サブキャップ１１で密閉できる。本実施例では、飲料水６０は、図１５に示す状態で、容器本体５に隙間なく（満タン）に入れておくことができる。このようにしても、凹形キャップ３７を外した場合、容器本体５の上部には、素材収納部６１が占めていた容積が空いて空間ができるから、飲料用素材２１を投入しても飲料水がこぼれ出ない。素材収納部６１が、容器本体５の開口部３５を突き抜けない構造では、飲料水を満タンには充填できず、飲料用素材２１が投入されたときの体積増加分の空間を空けておく必要がある。このような空間を占める空気は、もちろん無い方が衛生的である。なお、引出円Ｃ７に示す状態では、容器本体５の上部には、素材収納部６１が空けた空間と、素材収納部６１の内部空間ができるから、容器本体５を振った場合、これら空間を占める空気が飲料水６０の中を上下して、飲料用素材２１の攪拌が即座にできる。サブキャップ１１と凹形キャップ３７を透明または半透明として、中身が見えるようにしてもよい。サブキャップ１１のかわりに、樹脂シートを円筒状突出部６２の上部に熱着し、嵌合部５９を覆うように装着してもよい。素材収納部６１は、開口部３５の径を例えば３８ｍｍと大きくすれば、味噌汁の元など、かさばるものでも収納することができる。また、錠剤などを入れておくこともできる。さらに、景品なども入れることができる。
【実施例１６】
【００５６】
図１６は、本発明による第１６の実施例で、飲料用容器の断面図である。図１６に示すように、飲料用容器４は、容器本体５と、その上部の開口部３５に螺合する円錐形キャップ６３からなる。円錐形キャップ６３には、容器本体５の開口部３５を囲む円錐状の素材収納部６１が設けられる。円錐状の素材収納部６１の上部には、さらに円筒状突出部６２が設けられる。この円筒状突出部６２の上部側面にはネジ部６７が設けられ、サブキャップ１１がネジ部６６で螺合される。円筒状突出部６２の下部側面には、嵌合部５９が設けられる。円筒状突出部６２は、ネジ部６７も含めて容器本体５の開口部３５に差し込み可能である。嵌合部５９は、開口部３５の内径に合せた形状なので、円錐形キャップ６３を回して外し、逆にして嵌め込んだ時に栓として作用する。また、円錐形キャップ６３とサブキャップ１１を回して容易に取り外せるように、サブキャップ１１の径は、円錐形キャップ６３の基部の径より小さく形成している。
【００５７】
ここで、素材収納部６１は円錐状としたから、飲料用素材２１の収納空間をさらに広くできる。円錐状の素材収納部６１は、逆にして容器本体５の開口部３５に差し込んだ場合、じょうごのように作用するから、飲料用素材２１が液状である場合に好適である。円錐形を容器本体の形に合せて角錐形の形状としてもよい。素材収納部６１の底部が、開口部３５を突き抜けるように構成してもよい。
【産業上の利用可能性】
【００５８】
本発明は、飲料用素材を飲料水とは別に入れておいて、飲む前に混合するタイプのプラスチック容器に適用できる。
【図面の簡単な説明】
【００５９】
【図１】本発明による第１の実施例で、プラスチック容器の断面図である。
【図２】本発明による第２の実施例で、プラスチック容器の断面図である。
【図３】本発明による第３の実施例で、プラスチック容器の断面図である。
【図４】本発明による第４の実施例で、プラスチック容器の断面図である。
【図５】本発明による第５の実施例で、プラスチック容器の断面図である。
【図６】本発明による第６の実施例で、プラスチック容器の断面図である。
【図７】本発明による第７の実施例で、プラスチック容器の断面図である。
【図８】本発明による第８の実施例で、プラスチック容器の断面図である。
【図９】本発明による第９の実施例で、プラスチック容器の断面図である。
【図１０】本発明による第１０の実施例で、プラスチック容器の断面図である。
【図１１】本発明による第１１の実施例で、プラスチック容器の断面図である。
【図１２】本発明による第１２の実施例で、プラスチック容器の断面図である。
【図１３】本発明による第１３の実施例で、プラスチック容器の断面図である。
【図１４】本発明による第１４の実施例で、プラスチック容器の断面図である。
【図１５】本発明による第１５の実施例で、プラスチック容器の断面図である。
【図１６】本発明による第１６の実施例で、プラスチック容器の断面図である。
【符号の説明】
【００６０】
１、２、３、４    プラスチック容器
５    容器本体
６    素材容器
７    凸形筒部
８    凹形筒部
９    素材容器の筒部
１０    キャップ
１１    サブキャップ
１２    切り開かれた状態
１３    突起物
１４    凸形筒部の開口部
１５    肉厚の薄い円形の領域
１６    ノブ
１７    通孔
１８、１９    通孔
２０    蓋
２１    飲料用素材
２２、２３    通孔
２５    蓋
２８    突起体
２９    突出部
３１    柔軟な伸縮構造
３３、３４    密閉用の突起
３５    容器本体の開口部
３６    凹部
３７    凹形キャップ
３８    ストッパ
３９    凹形キャップの開口部
４０    凹形キャップの側面に設けられた通過口
４２    素材容器の開口部
４３    素材容器のネジ部
４４    凹形キャップのネジ部
４５    容器本体の開口部のネジ部
４６    凸形筒部のネジ部
４７、４８、４９    通孔を密閉するための突起
５１    段部
５２    側面
５３    ネジ部
５４    栓
５５    ボタン
５６    落下防止用の突起
５７    傾斜面
５８    縦溝
５９    嵌合部
６０    飲料水
６１    素材収納部
６２    円筒状突出部
６３    円錐形キャップ
６４    ネジ部
６５    孔
６６、６７    ネジ部
【図１】
2007253948.tif 000003
【図２】
2007253948.tif 000004
【図３】
2007253948.tif 000005
【図４】
2007253948.tif 000006
【図５】
2007253948.tif 000007
【図６】
2007253948.tif 000008
【図７】
2007253948.tif 000009
【図８】
2007253948.tif 000010
【図９】
2007253948.tif 000011
【図１０】
2007253948.tif 000012
【図１１】
2007253948.tif 000013
【図１２】
2007253948.tif 000014
【図１３】
2007253948.tif 000015
【図１４】
2007253948.tif 000016
【図１５】
2007253948.tif 000017
【図１６】
2007253948.tif 000018